(57)【特許請求の範囲】
【請求項１】
外枠の前面に配設した前枠と、
前枠の表側にドア状に開閉動作可能なように軸着したガラス扉枠と、
前記ガラス扉枠の自由端側に対応する前枠の表側一側に固着した錠装置のカバー部材とを有し、
前記ガラス扉枠の自由端側の側縁に前記カバー部材の外形に沿う括れ部を形成し、一方、前枠の前記カバー部材を設けた側の側縁に、ガラス扉枠の前記括れ部を除く自由端側の側縁の全部を外側から囲う防犯用周壁を突設してなることを特徴とするパチンコ機。
【請求項２】
外枠の前面に配設した前枠と、
前枠の表側にドア状に開閉動作可能なように軸着したガラス扉枠と、
前記ガラス扉枠の自由端側に対応する前枠の表側一側に固着した錠装置のカバー部材とを有し、
前記ガラス扉枠の自由端側の側縁に前記カバー部材の外形に沿う括れ部を形成し、一方、前枠の上縁にガラス扉枠の上縁を外側から囲う防犯用周壁を突設してなることを特徴とするパチンコ機。
【請求項３】
外枠の前面に配設した前枠と、
前枠の表側にドア状に開閉動作可能なように軸着したガラス扉枠と、
前記ガラス扉枠の自由端側に対応する前枠の表側一側に固着した錠装置のカバー部材とを有し、
前記ガラス扉枠の自由端側の側縁に前記カバー部材の外形に沿う括れ部を形成し、一方、前枠の前記カバー部材を設けた側の側縁と上縁に、ガラス扉枠の前記括れ部を除く自由端側の側縁の全部とガラス扉枠の上縁とを外側から囲う防犯用周壁を突設してなることを特徴とするパチンコ機。
【発明の詳細な説明】
【０００１】
【発明の属する技術分野】
本発明は、パチンコ機に関する。
【０００２】
【従来の技術】
近年、パチンコ機は、ガラス扉枠を合成樹脂化し、且つ、該ガラス扉枠を前枠の横幅一杯にまで広げて大型化する傾向にある。そして、そのようなガラス扉枠の大型化に伴い、従来ガラス扉枠の横に設けられていた錠装置の錠本体が、前枠の低位置に配置転換されている。
【０００３】
【発明が解決しようとする課題】
上記のように錠装置の錠本体を前枠の低位置に配置転換した場合、次のような多くの問題点がある。
(1)前枠を外枠にロックするために設けられている錠装置の係止金具は、前枠の裏側上下に配置されているが（図２符号８ｃ参照）、錠装置の錠本体をガラス扉枠より下の低位置に配置すると、上の係止金具と錠本体の距離が離れすぎるため力のバランスが悪くなり、錠装置の円滑作動に支障が出るおそれがある。
(2)パチンコ機設置島に設置した使用状態で鍵穴の位置が低くなるため、日常業務でガラス扉枠や前枠を開閉操作する場合の作業性が悪化する。
(3)パチンコ機設置島に設置した使用状態で鍵穴の位置が打球操作用の回動ハンドルの位置に近くなるため、合い鍵などを使った不正行為が遊技状態を装って行い易く、且つ、従業員からも見え難いため発見が遅れるおそれがある。
(4)前記錠本体の配置替えは錠装置の大幅な設計変更に繋がるため、大幅なコストアップ要因になる。
【０００４】
【課題を解決するための手段】
上記の問題点を解消するため本発明は、外枠の前面に配設した前枠と、前枠の表側にドア状に開閉動作可能なように軸着したガラス扉枠と、前記ガラス扉枠の自由端側に対応する前枠の表側一側に固着した錠装置のカバー部材とを有し、前記ガラス扉枠の自由端側の側縁に前記カバー部材の外形に沿う括れ部を形成し、一方、前枠の前記カバー部材を設けた側の側縁に、ガラス扉枠の前記括れ部を除く自由端側の側縁の全部を外側から囲う防犯用周壁を突設してなるパチンコ機を提供する。
【０００５】
また、請求項２に記載したように、外枠の前面に配設した前枠と、前枠の表側にドア状に開閉動作可能なように軸着したガラス扉枠と、前記ガラス扉枠の自由端側に対応する前枠の表側一側に固着した錠装置のカバー部材とを有し、前記ガラス扉枠の自由端側の側縁に前記カバー部材の外形に沿う括れ部を形成し、一方、前枠の上縁にガラス扉枠の上縁を外側から囲う防犯用周壁を突設してなるパチンコ機を提供する。
【０００６】
また、請求項３に記載したように、外枠の前面に配設した前枠と、前枠の表側にドア状に開閉動作可能なように軸着したガラス扉枠と、前記ガラス扉枠の自由端側に対応する前枠の表側一側に固着した錠装置のカバー部材とを有し、前記ガラス扉枠の自由端側の側縁に前記カバー部材の外形に沿う括れ部を形成し、一方、前枠の前記カバー部材を設けた側の側縁と上縁に、ガラス扉枠の前記括れ部を除く自由端側の側縁の全部とガラス扉枠の上縁とを外側から囲う防犯用周壁を突設してなるパチンコ機を提供する。
【０００７】
ガラス扉枠に括れ部を形成してそこに錠装置のカバー部材を嵌め合わせる構成を採用すれば、錠装置を従来通りの高所に配置したままガラス扉枠の大型化が可能になる。
【０００８】
【発明の実施の形態】
以下に本発明の実施の形態を図面を参照しつつ説明する。なお、図１はパチンコ機の正面図、図２はガラス扉枠を開放した状態を示すパチンコ機の斜視図、図３は要部を示すパチンコ機の部分斜視図である。
【０００９】
パチンコ機Ｐは、四角く枠組みして正面下部に幕板１を設けた外枠２と、該外枠２の前面にドア状に開閉動作可能なようにヒンジ金具３で軸着した前枠４とから概略構成される。前枠４は合成樹脂製であって、表面のほぼ上半分がガラス扉枠５で覆われている。
【００１０】
ガラス扉枠５は、表側が合成樹脂で、裏側に防犯並びに補強用の金属パネル６を貼り付けた二重構造であり、前枠４のほぼ横幅一杯を占める大きさである。ガラス扉枠５には正面向かって左側の上下に回動金具７が取り付けられており、該回動金具７を前枠４側の固定金具（図示せず）に軸着することによりドア状に開閉動作可能である。前記金属パネル６にはガラス板Ｇを保持するためのガラスフレーム５ａ，５ｂ，５ｃが形成されており、ガラス扉枠５の自由端側に位置する縦のガラスフレーム５ａに、後述する錠装置８の作動部材８ａに係合する突片９が設けられている。
【００１１】
一方、前記前枠４には、ガラス扉枠５の自由端側に対応する一側に錠装置８が設けられている。錠装置８は、従来のパチンコ機に使用されているものと殆ど同じ構造であり、シリンダー錠などの錠本体８ｂや前記ガラス扉枠５の突片９に係合してガラス扉枠５をロックする作動部材８ａ、及び、前枠４を外枠２にロックする係止金具８ｃなどからなる。さらにまた、錠装置８は、前記錠本体８ｂを装飾するために前枠４に固着した合成樹脂製のカバー部材８ｄをも含む。周知のように錠装置８は、錠本体８ｂの鍵穴に専用キーを差し込んで一方向に回転させることで前枠４のロックを外し、また、専用キーを反対方向に回転させることでガラス扉枠５のロックを外すようになっている。もちろん、錠装置８の構造はこのようなものに限定されるものではなく、例えばカードを差し込んで解錠操作をするカード式の錠装置などであっても構わない。
【００１２】
而して、前記ガラス扉枠５には、自由端側の側縁に前記錠装置８のカバー部材８ｄの外形に沿う凹形の括れ部１０が形成されている。ガラス扉枠５と括れ部１０及びカバー部材８ｄはデザイン上の統一が図られており、ガラス扉枠５を閉じた状態でカバー部材８ｄが括れ部１０に嵌まって一体感を呈するように仕向けられている。
【００１３】
なお、図面中、１１はガラス扉枠５の下に設けた開閉動自在な前面板、１２は該前面板１１の前に固着した上球皿、１３は打球操作用の回動ハンドル、１４は前枠４の下側に固着した下球皿、１５はガラス扉枠５と前面板１１の縁を囲うように前枠４の周縁に突設された防犯用周壁であって所謂セル板などの差込みを防止するものである。
【００１４】
以上本発明を実施の形態について説明したが、もちろん本発明は上記実施形態に限定されるものではない。例えば、上記実施形態では前枠４を合成樹脂で形成したが、該前枠４は木製であってもよい。また、実施形態のカバー部材８ｄは錠本体８ｂと別体の構造であるが、錠本体８ｂとカバー部材８ｄを一体構造にすることもできる。そうした場合には、錠本体８ｂの一部にカバー部材８ｄが融合するのであって、ガラス扉枠５の括れ部１０との関係においてカバー部材８ｄと錠本体８ｂは同義に解してよい。また、ガラス扉枠５の括れ部１０の形状はどのようなものであってもよい。
【００１５】
【発明の効果】
本発明のパチンコ機は、ガラス扉枠に括れ部を形成してそこに錠装置のカバー部材を嵌合させる構成を採用したため、錠装置を従来通りの高所に配置したままガラス扉枠の大型化が可能になる。これにより、次のような優れた効果を発揮する。
(1)前枠と外枠を繋ぎ止める係止金具などと錠本体の配置バランスが保てるため、錠装置の円滑作動が確保できる。
(2)パチンコ機設置島に設置した使用状態で鍵穴の位置が高所であるため、日常業務でガラス扉枠や前枠を開閉操作する際の作業性が良い。
(3)パチンコ機設置島に設置した使用状態で鍵穴の位置が高所であり打球操作用の回動ハンドルの位置から遠いため、合い鍵などを使った不正行為が行い難く、且つ、従業員からも見え易いため犯罪の未然防止が可能である。
(4)従来の錠装置が殆どそのまま使用できるため、ガラス扉枠の大型化に起因して発生するコスト上昇を大幅に抑制することが可能である。
また、ガラス扉枠の縁を囲うように前枠の周縁に防犯用周壁を設けたため、ガラス扉枠の縁から所謂セル板などが差し込まれない。
【図面の簡単な説明】
【図１】  パチンコ機の正面図である。
【図２】  ガラス扉枠を開放した状態を示すパチンコ機の斜視図である。
【図３】  要部を示すパチンコ機の部分斜視図である。
【符号の説明】
Ｐ  …パチンコ機
４  …前枠
５  …ガラス扉枠
８  …錠装置
８ｄ…カバー部材
１０…括れ部
１５…防犯用周壁
【図１】
0003714476.tif 000002
【図２】
0003714476.tif 000003
【図３】
0003714476.tif 000004